(57)【要約】【課題】液晶分子のチルト方向に合わせて、光学軸が厚さ方向に沿った負の一軸性の屈折率異方性を有する位相差補償素子の傾斜方向を最適化することにより、コントラストをさらに向上することのできる液晶装置、電子機器、および投射型表示装置を提供すること。【解決手段】液晶装置３において、液晶分子３３Ｂが傾いているチルト方向が、ワイヤーグリッド偏光ビームスプリッター１０側から液晶パネル１１をみたときにワイヤーグリッド偏光ビームスプリッター１０のワイヤーグリッド１０ｂが延在している方向に対して反時計回りで４５°または１３５°の方位にあるとき、光学軸が厚さ方向に沿った負の一軸性の屈折率異方性を有する位相差補償素子１２をチルト方向と同一方向に傾け、２２５°または３１５°の方位にあるとき、位相差補償素子１２をチルト方向と逆方向に傾ける。【選択図】図２
2013088639.tif 000002
【特許請求の範囲】
【請求項１】
透光性の第１基板、該第１基板に対向配置され、当該第１基板から入射した光を当該第１基板側に向けて反射する反射層を備えた第２基板、および負の誘電率異方性をもって前記第１基板と前記第２基板との間に設けられ、液晶分子が前記第１基板の基板面および前記第２基板の基板面に対する法線方向から斜めに傾いた液晶層を備えた液晶パネルと、
前記第１基板の前記第２基板とは反対側で前記第１基板および前記第２基板に対して傾斜して配置されたワイヤーグリッド偏光ビームスプリッターと、
前記第１基板と前記ワイヤーグリッド偏光ビームスプリッターとの間に配置され、光学軸が厚さ方向に沿った負の一軸性の屈折率異方性を有する位相差補償素子と、
を有する液晶装置であって、
前記第２基板に対して前記液晶分子が傾いているチルト方向が、前記ワイヤーグリッド偏光ビームスプリッター側から前記液晶パネルをみたときに前記ワイヤーグリッド偏光ビームスプリッターのワイヤーグリッドが延在している方向に対して反時計回りで４５°または１３５°の方位にあるとき、前記位相差補償素子は、前記チルト方向に対して９０°を成す軸線を中心に前記チルト方向側に位置する部分が前記液晶パネルに接近し、当該チルト方向とは反対側に位置する部分が前記液晶パネルから離間するように傾いた第２傾斜姿勢で配置され、
前記チルト方向が、前記ワイヤーグリッドが延在している方向に対して反時計回りで２２５°または３１５°の方位にあるとき、前記位相差補償素子は、前記軸線を中心に前記チルト方向側に位置する部分が前記液晶パネルから離間し、当該チルト方向とは反対側に位置する部分が前記液晶パネルに接近するように傾いた第１傾斜姿勢で配置されていることを特徴とする液晶装置。
【請求項２】
透光性の第１基板、該第１基板に対向配置され、当該第１基板から入射した光を当該第１基板側に向けて反射する反射層を備えた第２基板、および負の誘電率異方性をもって前記第１基板と前記第２基板との間に設けられ、液晶分子が前記第１基板の基板面および前記第２基板の基板面に対する法線方向から斜めに傾いた液晶層を備えた液晶パネルと、
前記第１基板の前記第２基板とは反対側で前記第１基板および前記第２基板に対して傾斜して配置されたワイヤーグリッド偏光ビームスプリッターと、
前記第１基板と前記ワイヤーグリッド偏光ビームスプリッターとの間に配置され、光学軸が厚さ方向に沿った負の一軸性の屈折率異方性を有する位相差補償素子と、
を有する液晶装置であって、
前記第２基板に対して前記液晶分子が傾いているチルト方向が、前記ワイヤーグリッド偏光ビームスプリッター側から前記液晶パネルをみたときに前記ワイヤーグリッド偏光ビームスプリッターのワイヤーグリッドが延在している方向に対して反時計回りで４５°または１３５°の方位にあり、
前記位相差補償素子は、前記チルト方向に対して９０°を成す軸線を中心に前記チルト方向側に位置する部分が前記液晶パネルに接近し、当該チルト方向とは反対側に位置する部分が前記液晶パネルから離間するように傾いた第１傾斜姿勢で配置されていることを特徴とする液晶装置。
【請求項３】
透光性の第１基板、該第１基板に対向配置され、当該第１基板から入射した光を当該第１基板側に向けて反射する反射層を備えた第２基板、および負の誘電率異方性をもって前記第１基板と前記第２基板との間に設けられ、液晶分子が前記第１基板の基板面および前記第２基板の基板面に対する法線方向から斜めに傾いた液晶層を備えた液晶パネルと、
前記第１基板の前記第２基板とは反対側で前記第１基板および前記第２基板に対して傾斜して配置されたワイヤーグリッド偏光ビームスプリッターと、
前記第１基板と前記ワイヤーグリッド偏光ビームスプリッターとの間に配置され、光学軸が厚さ方向に沿った負の一軸性の屈折率異方性を有する位相差補償素子と、
を有する液晶装置であって、
前記第２基板に対して前記液晶分子が傾いているチルト方向が、前記ワイヤーグリッド偏光ビームスプリッター側から前記液晶パネルをみたときに前記ワイヤーグリッド偏光ビームスプリッターのワイヤーグリッドが延在している方向に対して反時計回りで２２５°または３１５°の方位にあり、
前記位相差補償素子は、前記チルト方向に対して９０°を成す軸線を中心に前記チルト方向側に位置する部分が前記液晶パネルから離間し、当該チルト方向とは反対側に位置する部分が前記液晶パネルに近接するように傾いた第２傾斜姿勢で配置されていることを特徴とする液晶装置。
【請求項４】
前記ワイヤーグリッドは、前記第１基板の基板面および前記第２基板の基板面と平行に延在していることを特徴とする請求項１乃至３の何れか一項に記載の液晶装置。
【請求項５】
前記ワイヤーグリッド偏光ビームスプリッターにおいて前記ワイヤーグリッドが形成されている偏光分離面は、当該ワイヤーグリッド偏光ビームスプリッターを前記液晶パネル側とは反対側からみたとき、前記ワイヤーグリッドが延在している方向に対して反時計回りで９０°の側が前記液晶パネルに接近し、前記ワイヤーグリッドが延在している方向に対して反時計回りで２７０°の側が前記液晶パネルから離間する傾斜姿勢で配置されていることを特徴とする請求項４に記載の液晶装置。
【請求項６】
請求項１乃至５の何れか一項に記載の液晶装置を備えていることを特徴とする電子機器。
【請求項７】
請求項１に記載の液晶装置を複数備えた投射型表示装置であって、
複数の前記液晶装置に供給する光を出射する光源と、
複数の前記液晶装置によって変調された各光を合成する色合成光学系と、
該色合成光学系で合成された光を投射する投射光学系と、
を有し、
複数の前記液晶装置には、前記位相差補償素子が前記第１傾斜姿勢で配置された液晶装置、および前記位相差補償素子が前記第２傾斜姿勢で配置された液晶装置のうちの一方の液晶装置のみが含まれていることを特徴とする投射型表示装置。
【請求項８】
請求項１に記載の液晶装置を複数備えた投射型表示装置であって、
複数の前記液晶装置に供給する光を出射する光源と、
複数の前記液晶装置によって変調された各光を合成する色合成光学系と、
該色合成光学系で合成された光を投射する投射光学系と、
を有し、
複数の前記液晶装置には、前記位相差補償素子が前記第１傾斜姿勢で配置された液晶装置と、前記位相差補償素子が前記第２傾斜姿勢で配置された液晶装置と、が含まれ、
前記投射光学系から投射された画像において複数の前記液晶装置における前記チルト方向が同一の方位であることを特徴とする投射型表示装置。
【請求項９】
前記色合成光学系はダイクロイックプリズムを備え、
複数の前記液晶装置のうち、前記ダイクロイックプリズムに対して相対向する方向から光を入射させる２つの液晶装置には、前記位相差補償素子が前記第１傾斜姿勢で配置された液晶装置と、前記位相差補償素子が前記第２傾斜姿勢で配置された液晶装置と、が含まれ、かつ、当該２つの液晶装置では、前記チルト方向が１８０°相違しており、
前記ダイクロイックプリズムに対して他の方向から光を入射させる液晶装置では、前記２つの液晶装置に対して前記チルト方向が９０°相違していることを特徴とする請求項８に記載の投射型表示装置。
【発明の詳細な説明】
【技術分野】
【０００１】
本発明は、液晶装置、電子機器、および投射型表示装置に関するものである。
【背景技術】
【０００２】
近年、正面から観察したときのコントラストに優れているとして、ＶＡ（Vertical Alignment）モードの液晶パネルを用いた液晶装置が注目されている。ＶＡモードの液晶装置は、一対の基板間に液晶分子を所定のチルト角をもって配向させた液晶層を備えたものである。また、視角特性を向上させるために、液晶パネルに対して、光学軸が厚さ方向に沿った負の一軸性の屈折率異方性を有する位相差補償素子（例えば、Ｃプレート）を傾斜した姿勢で配置した透過型の液晶装置が提案されている（特許文献１参照）。
【０００３】
一方、反射側の液晶装置において、ＶＡモードの液晶パネルに傾斜した姿勢でワイヤーグリッド偏光ビームスプリッターを配置する際、ワイヤーグリッド偏光ビームスプリッターのワイヤーグリッドの向きと、液晶分子のチルト方向とを所定の角度に設定してコントラストを高めた構成が提案されている（特許文献２参照）。
【先行技術文献】
【特許文献】
【０００４】
【特許文献１】特開２００９−３７０２５号公報
【特許文献２】特許第４６６１５１０号公報
【発明の概要】
【発明が解決しようとする課題】
【０００５】
ここに、本願発明者は、特許文献１に記載の構成を特許文献２に記載の構成に適用することを検討しているものであり、かかる検討において、Ｃプレートの傾斜方向と液晶分子のチルト方向との組み合わせを最適化すれば、コントラストをさらに向上させることができるという新たな知見を得た。すなわち、従来は、Ｃプレートについては、液晶分子のチルト方向に対して９０°を成す軸線を中心に傾斜させればよいとされていたが、本願発明者の検討結果によれば、液晶分子のチルト方向に合わせて、Ｃプレートの傾斜方向を最適化すればコントラストをさらに向上できるという新たな知見を得たのである。
【０００６】
すなわち、本発明は、かかる新たな知見に基づいて達成されたものであり、本発明の課題は、液晶分子のチルト方向に合わせて、光学軸が厚さ方向に沿った負の一軸性の屈折率異方性を有する位相差補償素子の傾斜方向を最適化することにより、コントラストをさらに向上することのできる液晶装置、電子機器、および投射型表示装置を提供することにある。
【課題を解決するための手段】
【０００７】
上記課題を解決するために、本発明は、透光性の第１基板、該第１基板に対向配置され、当該第１基板から入射した光を当該第１基板側に向けて反射する反射層を備えた第２基板、および負の誘電率異方性をもって前記第１基板と前記第２基板との間に設けられ、液晶分子が前記第１基板の基板面および前記第２基板の基板面に対する法線方向から斜めに傾いた液晶層を備えた液晶パネルと、前記第１基板の前記第２基板とは反対側で前記第１基板および前記第２基板に対して傾斜して配置されたワイヤーグリッド偏光ビームスプリッターと、前記第１基板と前記ワイヤーグリッド偏光ビームスプリッターとの間に配置され、光学軸が厚さ方向に沿った負の一軸性の屈折率異方性を有する位相差補償素子と、を有する液晶装置であって、前記第２基板に対して前記液晶分子が傾いているチルト方向が、前記ワイヤーグリッド偏光ビームスプリッター側から前記液晶パネルをみたときに前記ワイヤーグリッド偏光ビームスプリッターのワイヤーグリッドが延在している方向に対して反時計回りで４５°または１３５°の方位にあるとき、前記チルト方向に対して９０°を成す軸線を中心に前記チルト方向側に位置する部分が前記液晶パネルに接近し、当該チルト方向とは反対側に位置する部分が前記液晶パネルから離間するように傾いた第１傾斜姿勢で配置され、前記チルト方向が、前記ワイヤーグリッドが延在している方向に対して反時計回りで２２５°または３１５°の方位にあるとき、前記位相差補償素子は、前記軸線を中心に前記チルト方向側に位置する部分が前記液晶パネルから離間し、当該チルト方向とは反対側に位置する部分が前記液晶パネルに接近するように傾いた第２傾斜姿勢で配置されていることを特徴とする。
【０００８】
本発明は、光学軸が厚さ方向に沿った負の一軸性の屈折率異方性を有する位相差補償素子を液晶パネルに対して傾斜した姿勢で配置するにあたって、第２基板に対して液晶分子が傾いているチルト方向がワイヤーグリッドの延在方向に対して反時計回りで４５°または１３５°の方位にあるか、あるいは時計回りで２２５°または３１５°の方位にあるかに応じて位相差補償素子の傾斜姿勢を最適化しているため、白表示時の照度を低下させずに、コントラストを向上することができる。
【０００９】
すなわち、透光性の第１基板、該第１基板に対向配置され、当該第１基板から入射した光を当該第１基板側に向けて反射する反射層を備えた第２基板、および負の誘電率異方性をもって前記第１基板と前記第２基板との間に設けられ、液晶分子が前記第１基板の基板面および前記第２基板の基板面に対する法線方向から斜めに傾いた液晶層を備えた液晶パネルと、前記第１基板の前記第２基板とは反対側で前記第１基板および前記第２基板に対して傾斜して配置されたワイヤーグリッド偏光ビームスプリッターと、前記第１基板と前記ワイヤーグリッド偏光ビームスプリッターとの間に配置され、光学軸が厚さ方向に沿った負の一軸性の屈折率異方性を有する位相差補償素子と、を有する液晶装置であって、前記第２基板に対して前記液晶分子が傾いているチルト方向が、前記ワイヤーグリッド偏光ビームスプリッター側から前記液晶パネルをみたときに前記ワイヤーグリッド偏光ビームスプリッターのワイヤーグリッドが延在している方向に対して反時計回りで４５°または１３５°の方位にあり、前記位相差補償素子は、前記チルト方向に対して９０°を成す軸線を中心に前記チルト方向側に位置する部分が前記液晶パネルに接近し、当該チルト方向とは反対側に位置する部分が前記液晶パネルから離間するように傾いた第１傾斜姿勢で配置されている。
【００１０】
また、透光性の第１基板、該第１基板に対向配置され、当該第１基板から入射した光を当該第１基板側に向けて反射する反射層を備えた第２基板、および負の誘電率異方性をもって前記第１基板と前記第２基板との間に設けられ、液晶分子が前記第１基板の基板面および前記第２基板の基板面に対する法線方向から斜めに傾いた液晶層を備えた液晶パネルと、前記第１基板の前記第２基板とは反対側で前記第１基板および前記第２基板に対して傾斜して配置されたワイヤーグリッド偏光ビームスプリッターと、前記第１基板と前記ワイヤーグリッド偏光ビームスプリッターとの間に配置され、光学軸が厚さ方向に沿った負の一軸性の屈折率異方性を有する位相差補償素子と、を有する液晶装置であって、前記第２基板に対して前記液晶分子が傾いているチルト方向が、前記ワイヤーグリッド偏光ビームスプリッター側から前記液晶パネルをみたときに前記ワイヤーグリッド偏光ビームスプリッターのワイヤーグリッドが延在している方向に対して反時計回りで２２５°または３１５°の方位にあり、前記位相差補償素子は、前記チルト方向に対して９０°を成す軸線を中心に前記チルト方向側に位置する部分が前記液晶パネルから離間し、当該チルト方向とは反対側に位置する部分が前記液晶パネルに近接するように傾いた第２傾斜姿勢で配置されていることを特徴とする。
【００１１】
本発明において、前記ワイヤーグリッドは、例えば、前記第１基板の基板面および前記第２基板の基板面と平行に延在している構成を採用する。
【００１２】
本発明において、前記ワイヤーグリッド偏光ビームスプリッターにおいて前記ワイヤーグリッドが形成されている偏光分離面は、当該ワイヤーグリッド偏光ビームスプリッターを前記液晶パネル側とは反対側からみたとき、前記ワイヤーグリッドが延在している方向に対して反時計回りで９０°の側が前記液晶パネルに接近し、前記ワイヤーグリッドが延在している方向に対して反時計回りで２７０°の側が前記液晶パネルから離間する傾斜姿勢で配置されている構成を採用することができる。
【００１３】
本発明に係る液晶装置は、直視型の表示装置や投射型表示装置等の電子機器に用いることができ、電子機器が投射型表示装置の場合、投射型表示装置は、例えば、複数の前記液晶装置に供給する光を出射する光源と、複数の前記液晶装置によって変調された各光を合成する色合成光学系と、該色合成光学系で合成された光を投射する投射光学系と、を有している。
【００１４】
かかる投射型表示装置において、複数の前記液晶装置には、前記位相差補償素子が前記第１傾斜姿勢で配置された液晶装置、および前記位相差補償素子が前記第２傾斜姿勢で配置された液晶装置のうちの一方の液晶装置のみが含まれている構成を採用することができる。
【００１５】
また、投射型表示装置において、複数の前記液晶装置には、前記位相差補償素子が前記第１傾斜姿勢で配置された液晶装置と、前記位相差補償素子が前記第２傾斜姿勢で配置された液晶装置と、が含まれ、前記投射光学系から投射された画像において複数の前記液晶装置における前記チルト方向が同一の方位であることが好ましい。
【００１６】
例えば、前記色合成光学系はダイクロイックプリズムを備え、複数の前記液晶装置のうち、前記ダイクロイックプリズムに対して相対向する方向から光を入射させる２つの液晶装置には、前記位相差補償素子が前記第１傾斜姿勢で配置された液晶装置と、前記位相差補償素子が前記第２傾斜姿勢で配置された液晶装置と、が含まれ、かつ、当該２つの液晶装置では、前記チルト方向が１８０°相違しており、前記ダイクロイックプリズムに対して他の方向から光を入射させる液晶装置では、前記２つの液晶装置に対して前記チルト方向が９０°相違していることが好ましい。かかる構成によれば、投射光学系から投射された画像において複数の液晶装置における液晶分子のチルト方向が同一の方位にあるので、コントラストを低下させることなく、ストライプパターン等を表示した際の色付きの緩和や防止を達成することができる。
【図面の簡単な説明】
【００１７】
【図１】本発明を適用した電子機器としての投射型表示装置の概略構成図である。
【図２】図１に示す投射型表示装置に用いた液晶装置の説明図である。
【図３】本発明を適用した液晶装置において、位相差補償素子を第１傾斜姿勢で配置したときの説明図である。
【図４】本発明を適用した液晶装置において、位相差補償素子を第２傾斜姿勢で配置したときの説明図である。
【図５】本発明に係る液晶装置における位相差補償素子の傾斜姿勢の評価方法を示す説明図である。
【図６】本発明に係る液晶装置における位相差補償素子の傾斜姿勢の評価結果を示すグラフである。
【図７】本発明を適用した３つの液晶装置を備えた投射型表示装置の構成例１を示す説明図である。
【図８】本発明を適用した３つの液晶装置を備えた投射型表示装置の構成例２を示す説明図である。
【発明を実施するための形態】
【００１８】
以下、図面を参照しながら、本発明の実施の形態を説明する。なお、以下に参照する図面においては、各構成要素を見やすくするため、構成要素によって寸法の縮尺を異ならせて示すことがある。
【００１９】
（投射型表示装置の構成）
図１は、本発明を適用した電子機器としての投射型表示装置の概略構成図である。
【００２０】
図１に示す投射型表示装置１は、３枚の反射型液晶ライトバルブ（反射型の液晶パネル）を備えたプロジェクターであり、赤色光（Ｒ光）、緑色光（Ｇ光）、青色光（Ｂ光）からなる３色の色光を出射する照明装置２と、各色光による画像を形成する３組の液晶装置３Ｒ、３Ｇ、３Ｂと、３色の色光を合成する色合成素子４（色合成光学系）と、合成された光をスクリーン等の被投射面（図示せず）に投射する投射光学系５とを備えている。照明装置２は、光源６と、インテグレーター光学系７と、色分離光学系８とを備えている。液晶装置３Ｒ、３Ｇ、３Ｂは、偏光子９と、ワイヤーグリッド偏光ビームスプリッター１０と、反射型の液晶パネル１１Ｒ、１１Ｇ、１１Ｂ（ライトバルブ）と、位相差補償素子１２と、検光子１３と、を備えている。
【００２１】
かかる投射型表示装置１において、光源６から出射された白色光は、インテグレーター光学系７に入射する。インテグレーター光学系７に入射した白色光は、照度が均一化されるとともに偏光状態が所定の直線偏光に揃えられて出射される。インテグレーター光学系７から出射された白色光は、色分離光学系８によりＲ、Ｇ、Ｂの各色光に分離され、色光毎に異なる組の液晶装置３Ｒ、３Ｇ、３Ｂに入射する。各液晶装置３Ｒ、３Ｇ、３Ｂに入射した色光は、表示すべき画像の画像信号に基づいて変調された変調光となる。３組の液晶装置３Ｒ、３Ｇ、３Ｂから出射された３色の変調光は、色合成素子４（色合成光学系）により合成されて多色光となり、投射光学系５に入射する。投射光学系５に入射した多色光は、スクリーン等の被投射面に投射される。このようにして、被投射面にフルカラーの画像が表示される。
【００２２】
このように構成した投射型表示装置１において、光源６は、光源ランプ１５と放物面リフレクター１６とを有している。光源ランプ１５から放射された光は、放物面リフレクター１６によって一方向に反射されて略平行な光束となり、光源光としてインテグレーター光学系７に入射する。光源ランプ１５は、例えばメタルハライドランプ、キセノンランプ、高圧水銀ランプ、ハロゲンランプ等により構成される。放物面リフレクター１６に代えて、楕円リフレクター、球面リフレクター等によりリフレクターを構成してもよい。リフレクターの形状に応じて、リフレクターから出射された光を平行化する平行化レンズを用いてもよい。
【００２３】
インテグレーター光学系７は、第１レンズアレイ１７と、第２レンズアレイ１８と、偏光変換素子１９と、重畳レンズ２０とを有している。第１レンズアレイ１７は、光源６の光軸Ｌ１に略直交する面に配列された複数のマイクロレンズ２１を有している。第２レンズアレイ１８は、第１レンズアレイ１７と同様、複数のマイクロレンズ２２を有している。各マイクロレンズ２１、２２はマトリクス状に配列されており、光軸Ｌ１に直交する平面における平面形状が、液晶パネル１１Ｒ、１１Ｇ、１１Ｂの被照明領域と相似形状（略矩形）になっている。被照明領域とは、液晶パネル１１Ｒ、１１Ｇ、１１Ｂにおいて複数の画素がマトリクス状に配列されて表示に実質的に寄与する領域のことである。
【００２４】
偏光変換素子１９は、複数の偏光変換ユニット２３を有している。各偏光変換ユニット２３は、その詳細な構造を省略するが、偏光分離膜、１／２位相板、および反射ミラーを有している。第１レンズアレイ１７の各マイクロレンズ２１は、第２レンズアレイ１８の各マイクロレンズ２２と１対１で対応している。第２レンズアレイ１８の各マイクロレンズ２２は、偏光変換素子１９の各偏光変換ユニット２３と１対１で対応している。
【００２５】
インテグレーター光学系７に入射した光源光は、第１レンズアレイ１７の複数のマイクロレンズ２１に空間的に分かれて入射し、マイクロレンズ２１に入射した光束毎に集光される。各マイクロレンズ２１により集光された光源光は、マイクロレンズ２１と対応する第２レンズアレイ１８のマイクロレンズ２２に結像する。すなわち、第２レンズアレイ１８の複数のマイクロレンズ２２の各々に二次光源像が形成される。マイクロレンズ２２に形成された二次光源像からの光は、このマイクロレンズ２２に対応する偏光変換ユニット２３に入射する。
【００２６】
偏光変換ユニット２３に入射した光は、偏光分離膜に対するＰ偏光とＳ偏光とに分離される。分離された一方の偏光（例えばＳ偏光）は、反射ミラーで反射した後に１／２位相板を通ることで偏光状態が変換され、他方の偏光（例えばＰ偏光）に揃えられる。ここでは、偏光変換ユニット２３を通った光の偏光状態が、後述する偏光子９を透過する偏光状態に揃えられるようになっている。複数の偏光変換ユニット２３から出射された光は、重畳レンズ２０によって液晶パネル１１Ｒ、１１Ｇ、１１Ｂの被照明領域上に重畳される。第１レンズアレイ１７により空間的に分割された各光束が被照明領域の略全域を照明することにより照度分布が平均化され、被照明領域上の照度が均一化される。
【００２７】
色分離光学系８は、波長選択面を有する第１ダイクロイックミラー２５、第２ダイクロイックミラー２６、第３ダイクロイックミラー２７、および第１反射ミラー２８、第２反射ミラー２９を有している。第１ダイクロイックミラー２５は、赤色光ＬＲを反射させるとともに、緑色光ＬＧおよび青色光ＬＢを透過させる分光特性を有している。第２ダイクロイックミラー２６は、赤色光ＬＲを透過させるとともに、緑色光ＬＧおよび青色光ＬＢを反射させる分光特性を有している。第３ダイクロイックミラー２７は、緑色光ＬＧを反射させるとともに、青色光ＬＢを透過させる分光特性を有している。第１ダイクロイックミラー２５と第２ダイクロイックミラー２６とは、各々の波長選択面が互いに略直交するように、かつ各々の波長選択面がインテグレーター光学系７の光軸Ｌ２と略４５°の角度をなすように配置されている。
【００２８】
色分離光学系８に入射した光源光に含まれる赤色光ＬＲ、緑色光ＬＧ、青色光ＬＢは、以下のようにして分離され、分離された色光毎に対応する液晶装置３Ｒ、３Ｇ、３Ｂに入射する。すなわち、赤色光ＬＲは、第２ダイクロイックミラー２６を透過するとともに第１ダイクロイックミラー２５で反射した後、第１反射ミラー２８で反射し、赤色光用の液晶装置３Ｒに入射する。緑色光ＬＧは、第１ダイクロイックミラー２５を透過するとともに第２ダイクロイックミラー２６で反射した後、第２反射ミラー２９で反射し、第３ダイクロイックミラー２７で反射して、緑色光用の液晶装置３Ｇに入射する。青色光ＬＢは、第１ダイクロイックミラー２５を透過するとともに第２ダイクロイックミラー２６で反射した後、第２反射ミラー２９で反射し、第３ダイクロイックミラー２７を透過して、青色光用の液晶装置３Ｂに入射する。各液晶装置３Ｒ、３Ｇ、３Ｂで変調された各色光は色合成素子４に入射する。
【００２９】
色合成素子４は、ダイクロイックプリズムにより構成されている。ダイクロイックプリズムは、４つの三角柱プリズムが互いに貼り合わされた構造になっている。三角柱プリズムにおいて貼り合わされる面は、ダイクロイックプリズムの内面になる。ダイクロイックプリズムの内面に、赤色光ＬＲが反射して緑色光ＬＧが透過するミラー面と、青色光ＬＢが反射して緑色光ＬＧが透過するミラー面とが互いに直交して形成されている。ダイクロイックプリズムに入射した緑色光ＬＧは、ミラー面をそのまま直進して出射される。ダイクロイックプリズムに入射した赤色光ＬＲ、青色光ＬＢは、ミラー面で選択的に反射あるいは透過して、緑色光ＬＧの出射方向と同じ方向に出射される。このようにして３つの色光（画像）が重ね合わされて合成され、合成された色光が投射光学系５によってスクリーン等に拡大投写される。投射光学系５は、第１レンズ群４４および第２レンズ群４５を有している。
【００３０】
（液晶装置３Ｒ、３Ｇ、３Ｂの構成）
図２は、図１に示す投射型表示装置１に用いた液晶装置３の説明図であり、図２（ａ）、（ｂ）は、液晶装置３の構成を示す説明図、および位相差補償素子（Ｃプレート）の説明図である。
【００３１】
図１および図２（ａ）において、液晶装置３Ｒ、３Ｇ、３Ｂはいずれもユニット化されており、同様の構成になっている。また、ユニット化された３つの液晶装置３Ｒ、３Ｇ、３Ｂは、例えば、色合成素子４の３つの光入射面に接合されている。ここで、液晶装置３Ｒ、３Ｇ、３Ｂの構成は同一であるため、以下、液晶装置３Ｒ、３Ｇ、３Ｂおよび液晶パネル１１Ｒ、１１Ｇ、１１Ｂについては、対応する色を示すＲ、Ｇ、Ｂを付さずに、液晶装置３および液晶パネル１１として説明する。
【００３２】
液晶装置３は、偏光子９（入射側偏光板）と、ワイヤーグリッド偏光ビームスプリッター１０と、液晶パネル１１と、位相差補償素子１２と、検光子１３（出射側偏光板）と、を備えている。かかる液晶装置３において、光源光から分離された光Ｌは偏光子９に入射する。偏光子９は所定の方向に振動する直線偏光を透過するものであり、ワイヤーグリッド偏光ビームスプリッター１０の偏光分離面１０ｃに対するＰ偏光を透過するように透過軸が設定されている。以下、ワイヤーグリッド偏光ビームスプリッター１０の偏光分離面１０ｃに対するＰ偏光を単にＰ偏光と称し、ワイヤーグリッド偏光ビームスプリッター１０の偏光分離面１０ｃに対するＳ偏光を単にＳ偏光と称する。上述したように、インテグレーター光学系７を通った光源光は、偏光状態がＰ偏光に揃えられているため、光Ｌの略全てが偏光子９を透過してワイヤーグリッド偏光ビームスプリッター１０に入射する。
【００３３】
ワイヤーグリッド偏光ビームスプリッター１０は、例えば、ガラス基板１０ａとその上に形成された複数の金属線等からなるワイヤーグリッド１０ｂとにより構成されている。複数のワイヤーグリッド１０ｂは、全てが一方向に延在しており、互いに略平行に離間してガラス基板１０ａ上に形成されている。複数のワイヤーグリッド１０ｂが形成されたガラス基板１０ａの主面が偏光分離面１０ｃとなり、複数のワイヤーグリッド１０ｂの延在方向が反射軸方向であり、複数のワイヤーグリッド１０ｂの配列方向が透過軸方向である。
【００３４】
偏光分離面１０ｃは、偏光分離面１０ｃに入射する光Ｌの中心軸に対して略４５°の角度をなしている。偏光分離面１０ｃに入射した光Ｌのうち、偏光方向が反射軸方向と一致するＳ偏光は偏光分離面１０ｃで反射し、偏光方向が透過軸方向と一致するＰ偏光は偏光分離面を透過する。インテグレーター光学系７の偏光変換素子１９および偏光子９の作用によって光Ｌは、概ねＰ偏光になっているため、光Ｌの略全てがワイヤーグリッド偏光ビームスプリッター１０の偏光分離面１０ｃを透過して液晶パネル１１に入射する。なお、偏光子９、検光子１３も、耐熱性等を考慮してワイヤーグリッド型偏光板で構成されていることが望ましい。
【００３５】
（液晶パネル１１の構成）
図２（ａ）に示すように、液晶パネル１１は反射型の液晶パネルであり、液晶モードは、垂直配向（Vertical Alignment）モードである。液晶パネル１１は、対向基板３１（第１基板）と、対向基板３１に対向配置された素子基板３２（第２基板）と、これら２枚の基板間に挟持された液晶層３３とを有している。液晶層３３は誘電率異方性が負の液晶材料で構成されている。
【００３６】
素子基板３２を構成する基板本体３５上には、複数のゲート線と複数のソース線とが直交するように配置され、ゲート線とソース線との交差に対応する複数の位置の各々にＴＦＴおよび画素電極３６を備えた画素が設けられている。なお、図２（ａ）においては、ゲート線、ソース線、ＴＦＴ等、画素電極３６よりも下層側の構成要素の図示は省略してある。画素電極３６は、例えばアルミニウム、銀、これらの合金等の光反射率の高い金属から構成され、反射電極（反射層）として機能する。一方、対向基板３１を構成する基板本体３８上には、インジウム錫酸化物（Indium Tin Oxide、以下、ＩＴＯと略記する）等の透明導電材料からなる共通電極３９が設けられている。
【００３７】
素子基板３２の画素電極３６上には配向膜３７が形成されている。同様に、対向基板３１の共通電極３９上には配向膜４０が形成されている。これらの配向膜３７、４０は、シリコン酸化物（ＳｉＯ2）を真空蒸着することにより形成されている。例えば真空蒸着時の真空度は５×１０3Ｐａ、基板温度は１００℃とする。配向膜３７、４０に異方性を付与するため、基板面から４５°傾いた方向から蒸着を行う。このようにすると、蒸着方位と等しい方位において基板面から７０°傾いた方向にシリコン酸化物のカラム（柱状構造体）が成長する。素子基板３２上の配向膜３７と対向基板３１上の配向膜４０とは、各々の配向方向が反平行となるように配置されている。以上の配向膜３７、４０により、液晶層３３の液晶分子３３Ｂは、対向基板３１の基板面および素子基板３２の基板面に対する法線方向から斜めに傾いて所定のプレチルト角をなすように配向する。
【００３８】
本形態の液晶装置３において、対向基板３１および素子基板３２は、例えば２．１μｍのギャップに保持されて貼り合わされ、その間に誘電率異方性が負の液晶（△ｎ＝０．２１６：波長５８９ｎｍ）が注入されて液晶セルが形成されている。液晶分子３３Ｂは、配向膜３７、４０間において、これら配向膜３７、４０のカラムの傾き方向（チルト方向）と同じ方向で基板面の法線方向から４°傾くように配向させられている。このようにプレチルト角が付与されることにより、液晶分子３３Ｂは光学的な異方性を有し、液晶分子３３Ｂからなる液晶層３３は遅相軸を有したものとなる。
【００３９】
液晶層３３の遅相軸は、液晶分子３３Ｂを対向基板３１および素子基板３２の法線方向から見て、対向基板３１上あるいは素子基板３２上に投影された楕円形状の液晶分子３３Ｂの長軸の長さ方向に一致する。また、液晶分子３３Ｂは、付与されたプレチルト角により、長軸の一端側に対し他端側が傾いている。本形態において、液晶分子３３Ｂは、素子基板３２側から対向基板３１側に向かうに連れて素子基板３２の法線から傾いており、素子基板３２からみて傾いている方向をチルト方向（配向軸の方向）とする。
【００４０】
（位相差補償素子１２の構成）
図２（ａ）に示すように、ワイヤーグリッド偏光ビームスプリッター１０と液晶パネル１１との間の光路上には位相差補償素子１２が配置されている。すなわち、液晶パネル１１の対向基板３１の素子基板３２とは反対側にワイヤーグリッド偏光ビームスプリッター１０が配置され、対向基板３１とワイヤーグリッド偏光ビームスプリッター１０との間に位相差補償素子１２が配置されている。かかる液晶装置３において、ワイヤーグリッド偏光ビームスプリッター１０を透過した光Ｌは、位相差補償素子１２、液晶パネル１１の対向基板３１を順次透過し、液晶層３３に入射した後に素子基板３２上で反射して折り返される。その際、光Ｌは、液晶層３３を透過する間に変調されて変調光となり、対向基板３１、位相差補償素子１２を再度透過する。
【００４１】
図２（ｂ）において、位相差補償素子１２は、光学軸が厚さ方向に沿った負の一軸性の屈折率異方性を有するＣプレートである。位相差補償素子１２は、スパッタ法等によって基板上に高屈折率層と低屈折率層とが交互に積層された多層膜からなり、光学軸が厚さ方向に沿う一軸性の負の屈折率異方性を有する複屈折率体である。位相差補償素子１２は、表面に対して垂直な光学軸を有し、液晶パネル１１から出射された斜め方向の光の位相差を補償する。高屈折率層は相対的に高屈折率の誘電体であるＴｉＯ２やＺｒＯ２等からなり、低屈折率層は低屈折率の誘電体であるＳｉＯ２やＭｇＦ２等からなる。このような構成の位相差補償素子１２は、これを透過する光が各層間で反射して干渉するのを防ぐため、各屈折率層の厚さは薄いことが好ましい。
【００４２】
かかる位相差補償素子１２は、屈折率楕円体で示すように、各方向の屈折率の関係は、ｎｘ″＝ｎｙ″＞ｎｚ″であり、光学軸に平行に入射する光に対しては等方的であることから、位相差を補償することができない。一方、液晶パネル１１から出射された光のうち、斜め成分の光、つまりＶＡモードの液晶の斜め成分については、その位相差を光学補償する。なお、位相差補償素子１２は、ｎｘ″＝ｎｙ″を完全に満たす必要はなく、僅かに位相差を有していても良く、具体的には正面位相差値が０ｎｍから３ｎｍ程度であってもよい。
【００４３】
この種の位相差補償素子１２としては、厚み方向の位相差Ｒｔｈが１００ｎｍ以上３００ｎｍ以下であるのが好ましく、１８０ｎｍであるのがより好ましい。ここで、厚み方向の位相差Ｒｔｈは、以下の式によって定義される。
【００４４】
Ｒｔｈ＝｛（ｎｘ″＋ｎｙ″）／２−ｎｚ″｝×ｄ
但し、ｎｘ″、ｎｙ″は、面方向の主屈折率を示し、ｎｚ″は、厚さ方向の主屈折率を示している。また、ｄは位相差補償素子１２の厚さを示している。従って、液晶分子３３Ｂのプレチルト方向に対して位相差補償素子１２の光学軸が平行となるように位相差補償素子１２を傾けて配置すれば、液晶パネル１１の正面位相差を位相差補償素子１２で補償することができることになる。
【００４５】
（液晶装置３の詳細構成）
図３は、本発明を適用した液晶装置３において、位相差補償素子１２を第１傾斜姿勢で配置したときの説明図であり、図３（ａ）、（ｂ）、（ｃ）、（ｄ）は、位相差補償素子１２を第１傾斜姿勢で配置したときの各要素の向きや姿勢等を示す説明図、チルト方向の方位が反時計回りに４５°のときの各要素の軸等の位置関係を示す説明図、位相差補償素子１２の姿勢を示す説明図、およびチルト方向の方位が反時計回りに１３５°のときの各要素の軸等の位置関係を示す説明図である。
【００４６】
図４は、本発明を適用した液晶装置３において、位相差補償素子１２を第２傾斜姿勢で配置したときの説明図であり、図４（ａ）、（ｂ）、（ｃ）、（ｄ）は、位相差補償素子１２を第２傾斜姿勢で配置したときの各要素の向きや姿勢等を示す説明図、チルト方向の方位が反時計回りに２２５°のときの各要素の軸等の位置関係を示す説明図、位相差補償素子１２の姿勢を示す説明図、およびチルト方向の方位が反時計回りに３１５°のときの各要素の軸等の位置関係を示す説明図である。
【００４７】
なお、図３および図４では、液晶パネル１１の面内方向で互いに直交する方向をｘ方向およびｙ方向とし、液晶パネル１１に対する法線方向をｚ方向として表してある。また、図３および図４では、ワイヤーグリッド偏光ビームスプリッター１０の偏光分離面１０ｃの面内方向で互いに直交する方向をｘ′方向およびｙ′方向とし、偏光分離面１０ｃに対する法線方向をｚ′方向として示してある。
【００４８】
図２を参照して説明した液晶装置３においては、例えば、図３（ａ）、（ｂ）に示すように、ワイヤーグリッド偏光ビームスプリッター１０（ＷＧ−ＰＢＳ）は、ワイヤーグリッド１０ｂの延在方向は液晶パネル１１に平行であり、検光子１３の透過軸を液晶パネル１１に対して光学的に投影した軸とも平行である。このため、液晶パネル１１のｘ方向とワイヤーグリッド偏光ビームスプリッター１０のｘ′方向とは同一方向であり、本発明では、ワイヤーグリッド偏光ビームスプリッター１０の側、あるいはワイヤーグリッド偏光ビームスプリッター１０に対して液晶パネル１１とは反対側からみたときのｘ方向に対する反時計回りの角度によって各軸の方位を説明する。
【００４９】
従って、検光子１３の透過軸の方位φ3は０°であり、ワイヤーグリッド偏光ビームスプリッター１０の透過軸の方位φ1、および偏光子９の透過軸の方位φ2は、反時計回りで９０°である。また、ワイヤーグリッド偏光ビームスプリッター１０の偏光分離面１０ｃは、反時計回りで９０°の側が液晶パネル１１に接近し、反時計回りで２７０°の側が液晶パネル１１から離間する傾斜姿勢で配置されている。
【００５０】
ここで、図３（ａ）、（ｂ）に示す液晶パネル１１では、液晶分子３３Ｂの第２基板３２に対するチルト方向（配向軸）の方位角φ0は、反時計回りで４５°である。このような場合、位相差補償素子１２（Ｃプレート）は、図５および図６を参照して後述する検討結果に基づいて、図３（ｂ）および図３（ｃ）に示すように構成される。具体的には、位相差補償素子１２（Ｃプレート）は、矢印Ｆ1で示すように、チルト方向（配向軸の方位角φ0）に対して９０°を成す軸線Ｌ1を中心にチルト方向側に位置する部分が液晶パネル１１に接近し、チルト方向とは反対側に位置する部分が液晶パネル１１から離間するように、液晶パネル１１に対して平行な水平姿勢から角度θ1分だけ傾いた第１傾斜姿勢で配置される。すなわち、位相差補償素子１２は、反時計回りで４５°の側が液晶パネル１１に接近し、反時計回りで２２５°の側が液晶パネル１１から離間する傾斜姿勢で配置される。本形態において、角度θ1は３．６°である。
【００５１】
また、図３（ｄ）に示す液晶パネル１１では、液晶分子３３Ｂの第２基板３２に対するチルト方向（配向軸）の方位角φ0は、反時計回りで１３５°である。このような場合、位相差補償素子１２（Ｃプレート）は、図５および図６を参照して後述する検討結果に基づいて、図３（ｃ）および図３（ｄ）に示すように構成される。具体的には、位相差補償素子１２（Ｃプレート）は、矢印Ｆ2で示すように、チルト方向（配向軸の方位角φ0）に対して９０°を成す軸線Ｌ2を中心にチルト方向側に位置する部分が液晶パネル１１に接近し、チルト方向とは反対側に位置する部分が液晶パネル１１から離間するように、液晶パネル１１に対して平行な水平姿勢から角度θ2分だけ傾いた第１傾斜姿勢で配置される。すなわち、位相差補償素子１２は、反時計回りで１３５°の側が液晶パネル１１に接近し、反時計回りで３１５°の側が液晶パネル１１から離間する傾斜姿勢で配置される。本形態において、角度θ2は３．２°である。
【００５２】
これに対し、図４（ａ）、（ｂ）に示す液晶パネル１１では、液晶分子３３Ｂの第２基板３２に対するチルト方向（配向軸）の方位角φ0は、反時計回りで２２５°である。このような場合、位相差補償素子１２（Ｃプレート）は、図５および図６を参照して後述する検討結果に基づいて、図４（ｂ）および図４（ｃ）に示すように構成される。具体的には、位相差補償素子１２（Ｃプレート）は、矢印Ｆ3で示すように、チルト方向（配向軸の方位角φ0）に対して９０°を成す軸線Ｌ3を中心にチルト方向側に位置する部分が液晶パネル１１から離間し、チルト方向とは反対側に位置する部分が液晶パネル１１に接近するように、液晶パネル１１に対して平行な水平姿勢から角度θ3分だけ傾いた第２傾斜姿勢で配置される。すなわち、位相差補償素子１２は、反時計回りで２２５°の側が液晶パネル１１から離間し、反時計回りで４５°の側が液晶パネル１１から離間する傾斜姿勢で配置される。本形態において、角度θ3は３．４°である。
【００５３】
また、図４（ｄ）に示す液晶パネル１１では、液晶分子３３Ｂの第２基板３２に対するチルト方向（配向軸）の方位角φ0は、反時計回りで３１５°である。このような場合、位相差補償素子１２（Ｃプレート）は、図５および図６を参照して後述する検討結果に基づいて、図４（ｃ）および図４（ｄ）に示すように構成される。具体的には、位相差補償素子１２（Ｃプレート）は、矢印Ｆ4で示すように、チルト方向（配向軸の方位角φ0）に対して９０°を成す軸線Ｌ4を中心にチルト方向側に位置する部分が液晶パネル１１から離間し、チルト方向とは反対側に位置する部分が液晶パネル１１に接近するように、液晶パネル１１に対して平行な水平姿勢から角度θ4分だけ傾いた第２傾斜姿勢で配置される。すなわち、位相差補償素子１２は、反時計回りで３１５°の側が液晶パネル１１から離間し、反時計回りで１３５°の側が液晶パネル１１に接近する傾斜姿勢で配置される。本形態において、角度θ4は３．４°である。
【００５４】
（評価結果）
図５は、本発明に係る液晶装置３における位相差補償素子１２の傾斜姿勢の評価方法を示す説明図であり、図５（ａ）、（ｂ）、（ｃ）、（ｄ）、（ｅ）は、評価装置の説明図、チルト方向（配向軸の方位角φ0）が４５°の場合の評価方法を示す説明図、チルト方向（配向軸の方位角φ0）が１３５°の場合の評価方法を示す説明図、チルト方向が２２５°の場合の評価方法を示す説明図、およびチルト方向が３１５°の場合の評価方法を示す説明図である。図６は、本発明に係る液晶装置３における位相差補償素子１２の傾斜姿勢の評価結果を示すグラフであり、図６（ａ）、（ｂ）は、チルト方向が４５°、１３５°の場合の黒表示の際の照度を示すグラフ、およびチルト方向が２２５°、３１５°の場合の黒表示の際の照度を示すグラフである。
【００５５】
なお、図６（ａ）において、実線Ｌ45はチルト方向が４５°の場合の照度を示し、点線Ｌ135はチルト方向が１３５°の場合の照度を示し、実線Ｌ225はチルト方向が２２５°の場合の照度を示し、実線Ｌ315はチルト方向が３１５°の場合の照度を示してある。
【００５６】
また、図５および図６を参照して説明する評価において、液晶分子３３Ｂのチルト方向（配向軸の方位角φ0）と同一方向に位相差補償素子１２を傾斜させたときの傾斜角を「＋（同方向）」とし、液晶分子３３Ｂのチルト方向（配向軸の方位角φ0）と逆方向に位相差補償素子１２を傾斜させたときの傾斜角を「−（逆方向）」としてある。
【００５７】
図５（ａ）に示すように、本形態では、図１を参照して説明した液晶装置３と同様に、偏光子９（入射側偏光板）、ワイヤーグリッド偏光ビームスプリッター１０、液晶パネル１１、位相差補償素子１２、および検光子１３（出射側偏光板）を配置し、検光子１３を透過した光を検出器１９０で検出する。その際、偏光子９の透過軸φ1の方位、ワイヤーグリッド偏光ビームスプリッター１０の透過軸φ2の方位、液晶パネル１１における液晶分子３３Ｂのチルト方向（配向軸）の方位角φ0、および検光子１３の透過軸φ3の方位は、図５（ｂ）、（ｃ）、（ｄ）、（ｅ）に示すように、図３および図４を参照して説明した構成と同様である。
【００５８】
そして、図５（ｂ）に示すように、チルト方向が反時計回りに４５°の場合、矢印Ｆ11で示すように、チルト方向に対して９０°の角度を成す軸線Ｌ1回りに位相差補償素子１２を傾斜させて、黒表示および白表示を行い、そのときの照度を検出器１９０で検出する。その検出結果（照度）を表１および図６（ａ）に示す。
【００５９】
また、図５（ｃ）に示すように、チルト方向が反時計回りに１３５°の場合、矢印Ｆ12で示すように、チルト方向に対して９０°の角度を成す軸線Ｌ2回りに位相差補償素子１２を傾斜させて、黒表示および白表示を行い、そのときの照度を検出器１９０で検出する。その検出結果（照度）を表１および図６（ａ）に示す。
【００６０】
また、図５（ｄ）に示すように、チルト方向が反時計回りに２２５°の場合、矢印Ｆ13で示すように、チルト方向に対して９０°の角度を成す軸線Ｌ3回りに位相差補償素子１２を傾斜させて、黒表示および白表示を行い、そのときの照度を検出器１９０で検出する。その検出結果（照度）を表１および図６（ｂ）に示す。
【００６１】
また、図５（ｅ）に示すように、チルト方向が反時計回りに３１５°の場合、矢印Ｆ14で示すように、チルト方向に対して９０°の角度を成す軸線Ｌ4回りに位相差補償素子１２を傾斜させて、黒表示および白表示を行い、そのときの照度を検出器１９０で検出する。その検出結果（照度）を表１および図６（ｂ）に示す。
【表１】
2013088639.tif 000003
【００６２】
表１および図６（ａ）に示すように、液晶分子３３Ｂの第２基板３２に対するチルト方向（配向軸）の方位角φ0が反時計回りで４５°または１３５°である場合、位相差補償素子１２（Ｃプレート）を、液晶分子３３Ｂのチルト方向（配向軸の方位角φ0）と同一方向に傾斜させれば、黒表示時の照度を低下させることができる。特に、液晶分子３３Ｂの第２基板３２に対するチルト方向（配向軸）の方位角φ0が反時計回りで４５°である場合、位相差補償素子１２を、液晶分子３３Ｂのチルト方向（配向軸の方位角φ0）と同一方向に３．６°傾斜させれば、黒表示時の照度を最も低下させることができる。また、液晶分子３３Ｂの第２基板３２に対するチルト方向（配向軸）の方位角φ0が反時計回りで１３５°である場合、位相差補償素子１２を、液晶分子３３Ｂのチルト方向（配向軸の方位角φ0）と同一方向に３．２°傾斜させれば、黒表示時の照度を最も低下させることができる。これに対して、白表示時の照度は、位相差補償素子１２（Ｃプレート）を、液晶分子３３Ｂのチルト方向（配向軸の方位角φ0）と同一方向あるいは逆方向に傾斜させても同等である。それ故、液晶分子３３Ｂの第２基板３２に対するチルト方向（配向軸）の方位角φ0が反時計回りで４５°または１３５°である場合、位相差補償素子１２（Ｃプレート）を、液晶分子３３Ｂのチルト方向（配向軸の方位角φ0）と同一方向に傾斜させれば、白表示時の照度を低下させずに、コントラストを向上することができる。
【００６３】
また、表１および図６（ｂ）に示すように、液晶分子３３Ｂの第２基板３２に対するチルト方向（配向軸）の方位角φ0が反時計回りで２２５°または３１５°である場合、位相差補償素子１２（Ｃプレート）を、液晶分子３３Ｂのチルト方向（配向軸の方位角φ0）と逆方向に傾斜させれば、黒表示時の照度を低下させることができる。特に、液晶分子３３Ｂの第２基板３２に対するチルト方向（配向軸）の方位角φ0が反時計回りで２２５°である場合、位相差補償素子１２を、液晶分子３３Ｂのチルト方向（配向軸の方位角φ0）と逆方向に３．４°傾斜させれば、黒表示時の照度を最も低下させることができる。また、液晶分子３３Ｂの第２基板３２に対するチルト方向（配向軸）の方位角φ0が反時計回りで３１５°である場合、位相差補償素子１２を、液晶分子３３Ｂのチルト方向（配向軸の方位角φ0）と逆方向に３．４°傾斜させれば、黒表示時の照度を最も低下させることができる。これに対して、白表示時の照度は、位相差補償素子１２（Ｃプレート）を、液晶分子３３Ｂのチルト方向（配向軸の方位角φ0）と同一方向あるいは逆方向に傾斜させても同等である。それ故、液晶分子３３Ｂの第２基板３２に対するチルト方向（配向軸）の方位角φ0が反時計回りで２２５°または３１５°である場合、位相差補償素子１２（Ｃプレート）を、液晶分子３３Ｂのチルト方向（配向軸の方位角φ0）と逆方向に傾斜させれば、白表示時の照度を低下させずに、コントラストを向上することができる。
【００６４】
（３つの液晶装置３Ｒ、３Ｇ、３Ｂへの適用例）
図７は、本発明を適用した３つの液晶装置３Ｒ、３Ｇ、３Ｂを備えた投射型表示装置の構成例１を示す説明図である。図８は、本発明を適用した３つの液晶装置３Ｒ、３Ｇ、３Ｂを備えた投射型表示装置の構成例２を示す説明図である。なお、図７および図８においては、液晶装置３の要部のみを図示してある。また、図７および図８において、各液晶装置３Ｒ、３Ｇ、３Ｂで変調された光が色合成素子４から投射された画像を各々、Ｐｒ、Ｐｇ、Ｐｂとして示してある。また、液晶パネル１１Ｒおよび画像Ｐｒには、互いに対応する方位にＡｒ、Ｂｒ、Ｃｒ、Ｄｒを付し、液晶パネル１１Ｇおよび画像Ｐｇには、互いに対応する方位にＡｇ、Ｂｇ、Ｃｇ、Ｄｇを付し、液晶パネル１１Ｂおよび画像Ｐｂには、互いに対応する方位にＡｂ、Ｂｂ、Ｃｂ、Ｄｂを付してある。
【００６５】
本発明を適用した液晶装置３Ｒ、３Ｇ、３Ｂを用いて投射型表示装置１を構成するにあたって、図７に示す投射型表示装置１では、位相差補償素子１２が第１傾斜姿勢で配置された液晶装置、および位相差補償素子１２が第２傾斜姿勢で配置された液晶装置のうちの一方の液晶装置のみが含まれている。
【００６６】
より具体的には、液晶装置３Ｒ、３Ｇ、３Ｂにおいて、液晶パネル１１Ｒ、１１Ｇ、１１Ｂのいずれにおいても、液晶分子３３Ｂのチルト方向（配向軸の方位角φ0）が２２５°であり、それ故、位相差補償素子１２を、液晶分子３３Ｂのチルト方向（配向軸の方位角φ0）と逆方向に傾斜させてある。従って、本例によれば、白表示時の照度を低下させずに、コントラストを向上することができる。
【００６７】
図８に示す投射型表示装置１では、複数の液晶装置３には、位相差補償素子１２が第１傾斜姿勢で配置された液晶装置と、位相差補償素子１２が第２傾斜姿勢で配置された液晶装置とが含まれており、投射された画像において複数の液晶装置３における液晶分子３３Ｂのチルト方向（配向軸の方位角φ0）が同一である。より具体的には、３つの液晶装置のうち、ダイクロイックプリズムからなる色合成素子４に対して相対向する方向から光を入射させる２つの液晶装置３Ｒ、３Ｂには、位相差補償素子１２が第１傾斜姿勢で配置された液晶装置と、位相差補償素子１２が第２傾斜姿勢で配置された液晶装置とが含まれ、かつ、２つの液晶装置３Ｒ、３Ｂでは、液晶分子３３Ｂのチルト方向（配向軸の方位角φ0）が１８０°相違している。
【００６８】
例えば、液晶装置３Ｒでは、液晶分子３３Ｂのチルト方向（配向軸の方位角φ0）が２２５°であり、位相差補償素子１２が第２傾斜姿勢で配置されている。これに対して、液晶装置３Ｂでは、液晶分子３３Ｂのチルト方向（配向軸の方位角φ0）が４５°であり、位相差補償素子１２が第１傾斜姿勢で配置されている。また、液晶装置３Ｇでは、液晶分子３３Ｂのチルト方向（配向軸の方位角φ0）が３１５°であり、２つの液晶装置３Ｒ、３Ｂとは、液晶分子３３Ｂのチルト方向（配向軸の方位角φ0）が９０°相違している。従って、画像Ｐｒ、Ｐｇ、Ｐｂにおいて、液晶分子３３Ｂのチルト方向が位置するのは同一である。それ故、本例によれば、白表示時の照度を低下させずに、コントラストを向上することができるとともに、ストライプパターン等を表示した際の色付きの緩和や防止を達成することができる。
【００６９】
（他の電子機器）
上記実施の形態では、本発明に係る液晶装置を使用した電子機器として、投射型表示装置１を例示したが、ヘッドマウントディスプレイ（ＨＭＤ）、ビューファインダー（ＥＶＦ）等の電子機器や、携帯情報端末等の電子機器において表示部を構成する直視型のディスプレイに本発明を適用してもよい。
【符号の説明】
【００７０】
１・・投射型表示装置、３Ｒ、３Ｇ、３Ｂ・・液晶装置、４・・色合成素子（色合成光学系）、５・・投射光学系、６・・光源、１１Ｒ、１１Ｇ、１１Ｂ・・液晶パネル、１２・・位相差補償素子、３１・・対向基板（第１基板）、３２・・素子基板（第２基板）、３３・・液晶層、３３Ｂ・・液晶分子
【図１】
2013088639.tif 000004
【図６】
2013088639.tif 000005
【図２】
2013088639.tif 000006
【図３】
2013088639.tif 000007
【図４】
2013088639.tif 000008
【図５】
2013088639.tif 000009
【図７】
2013088639.tif 000010
【図８】
2013088639.tif 000011